【手続補正書】
【提出日】平成25年2月7日(2013.2.7)
【手続補正１】
【補正対象書類名】特許請求の範囲
【補正対象項目名】全文
【補正方法】変更
【補正の内容】
【特許請求の範囲】
【請求項１】
記録剤を使って印刷をする印刷装置であって、
ユーザから指示を受け付ける受付手段と、
外部装置からコマンドを受信する受信手段と、
前記受付手段で受け付ける指示に従って、記録剤を前記印刷装置に供給可能な状態に前記印刷装置を移行させる第１の移行手段と、
前記受信手段で受信するコマンドに従って、記録剤を前記印刷装置に供給可能な状態に前記印刷装置を移行させる第２の移行手段とを有し、
前記第１の移行手段及び前記第２の移行手段の一方によって前記印刷装置が前記状態に移行している場合には、前記第１の移行手段及び前記第２の移行手段の他方によって前記印刷装置は前記状態に移行しないことを特徴とする印刷装置。
【請求項２】
前記第１の移行手段によって前記状態に移行する場合、前記状態に移行している旨を前記外部装置に通知する通知手段を有することを特徴とする請求項１に記載の印刷装置。
【請求項３】
前記第２の移行手段によって前記状態に移行する場合、前記状態に移行している旨を表示する表示手段を有することを特徴とする請求項１または２に記載の印刷装置。
【請求項４】
前記受信手段は前記コマンドと当該コマンドに対応付けられた識別情報を受信し、
前記印刷装置は、前記受信手段で受信する識別情報を記憶する記憶手段を有し、
前記印刷装置は、前記第２の移行手段によって前記状態に移行している間、前記記憶手段で記憶する識別情報に対応付けられた印刷ジョブに基づく印刷を実行するが、前記記憶手段で記憶する識別情報に対応付けられた印刷ジョブ以外の印刷ジョブに基づいては印刷を実行しないことを特徴とする請求項１乃至３のいずれか１項に記載の印刷装置。
【請求項５】
前記受付手段が前記状態を解除する指示を受け付けるのに応じて、または前記受信手段が前記状態を強制的に解除するコマンドを受信するのに応じて、前記状態は解除され、
前記状態が解除された後は、前記印刷装置は、前記記憶手段で記憶する識別情報に対応付けられた印刷ジョブ以外の印刷ジョブに基づく印刷を実行することを特徴とする請求項４に記載の印刷装置。
【請求項６】
記録剤を格納する格納手段を有し、
記録剤を前記印刷装置に供給するとは前記格納手段を交換することであることを特徴とする請求項１乃至５のいずれか１項に記載の印刷装置。
【請求項７】
複数の前記格納手段を有し、
記録剤を前記印刷装置に供給可能な状態では、前記第１の移行手段または前記第２の移行手段は、前記複数の格納手段のうちの一つを交換可能な位置に、当該格納手段を移動することを特徴とする請求項６に記載の印刷装置。
【請求項８】
記録剤を使って印刷をする印刷装置であって、
複数の外部装置それぞれからコマンドを受信する受信手段と、
前記受信手段で受信するコマンドに従って、記録剤を前記印刷装置に供給可能な状態に前記印刷装置を移行させる移行手段とを有し、
前記移行手段は、第１の外部装置からのコマンドに従って前記印刷装置を前記状態に移行させている場合には、第２の外部装置からのコマンドに従って前記印刷装置を前記状態に移行させないことを特徴とする印刷装置。
【請求項９】
記録剤を格納する格納手段を有し、
記録剤を前記印刷装置に供給するとは前記格納手段を交換することであることを特徴とする請求項８に記載の印刷装置。
【請求項１０】
複数の前記格納手段を有し、
記録剤を前記印刷装置に供給可能な状態では、前記第１の移行手段または前記第２の移行手段は、前記複数の格納手段のうちの一つを交換可能な位置に、当該格納手段を移動することを特徴とする請求項９に記載の印刷装置。
【請求項１１】
記録剤を使って印刷をする印刷装置であって、
複数の外部装置それぞれからコマンドと当該コマンドに対応付けられた識別情報とを受信する受信手段と、
前記受信手段で受信する識別情報を記憶する記憶手段と、
前記受信手段で受信するコマンドに従って、記録剤を前記印刷装置に供給可能な状態に前記印刷装置を移行させる移行手段と、
前記移行手段によって前記印刷装置が前記状態に移行している間、前記記憶手段で記憶する識別情報に対応付けられた印刷ジョブに基づく印刷を実行する制御手段とを有し、
前記制御手段は、前記記憶手段で記憶する識別情報に対応付けられた印刷ジョブ以外の印刷ジョブに基づいては印刷を実行しないことを特徴とする印刷装置。
【請求項１２】
記録剤を使って印刷をする印刷装置の制御方法であって、
ユーザから指示を受け付ける受付ステップと、
外部装置からコマンドを受信する受信ステップと、
前記受付ステップで受け付ける指示に従って、記録剤を前記印刷装置に供給可能な状態に前記印刷装置を移行させる第１の移行ステップと、
前記受信ステップで受信するコマンドに従って、記録剤を前記印刷装置に供給可能な状態に前記印刷装置を移行させる第２の移行ステップとを有し、
前記第１の移行ステップ及び前記第２の移行ステップの一方によって前記印刷装置が前記状態に移行している場合には、前記第１の移行ステップ及び前記第２の移行ステップの他方によって前記印刷装置は前記状態に移行しないことを特徴とする制御方法。
【請求項１３】
記録剤を使って印刷をする印刷装置の制御方法であって、
複数の外部装置それぞれからコマンドを受信する受信ステップと、
前記受信ステップで受信するコマンドに従って、記録剤を前記印刷装置に供給可能な状態に前記印刷装置を移行させる移行ステップとを有し、
第１の外部装置からのコマンドに従って前記印刷装置が前記状態に移行している場合には、第２の外部装置からのコマンドに従って前記印刷装置は前記状態に移行しないことを特徴とする制御方法。
【請求項１４】
記録剤を使って印刷をする印刷装置の制御方法であって、
複数の外部装置それぞれからコマンドと当該コマンドに対応付けられた識別情報とを受信する受信ステップと、
前記受信ステップで受信する識別情報を記憶手段に記憶させる記憶ステップと、
前記受信ステップで受信するコマンドに従って、記録剤を前記印刷装置に供給可能な状態に前記印刷装置を移行させる移行ステップと、
前記移行ステップによって前記印刷装置が前記状態に移行している間、前記記憶手段で記憶する識別情報に対応付けられた印刷ジョブに基づく印刷を実行する実行ステップとを有し、
前記記憶手段で記憶する識別情報に対応付けられた印刷ジョブ以外の印刷ジョブに基づいては印刷を実行しないことを特徴とする制御方法。
【請求項１５】
コンピュータにより読み取り可能な、記録剤を使って印刷をする印刷装置を制御するプログラムであって、
ユーザから指示を受け付ける受付ステップと、
外部装置からコマンドを受信する受信ステップと、
前記受付ステップで受け付ける指示に従って、記録剤を前記印刷装置に供給可能な状態に前記印刷装置を移行させる第１の移行ステップと、
前記受信ステップで受信するコマンドに従って、記録剤を前記印刷装置に供給可能な状態に前記印刷装置を移行させる第２の移行ステップとを前記コンピュータに実行させ、
前記第１の移行ステップ及び前記第２の移行ステップの一方によって前記印刷装置が前記状態に移行している場合には、前記第１の移行ステップ及び前記第２の移行ステップの他方によって前記印刷装置は前記状態に移行しないことを特徴とするプログラム。
【請求項１６】
コンピュータにより読み取り可能な、記録剤を使って印刷をする印刷装置を制御するプログラムであって、
複数の外部装置それぞれからコマンドを受信する受信ステップと、
前記受信ステップで受信するコマンドに従って、記録剤を前記印刷装置に供給可能な状態に前記印刷装置を移行させる移行ステップとを前記コンピュータに実行させ、
第１の外部装置からのコマンドに従って前記印刷装置が前記状態に移行している場合には、第２の外部装置からのコマンドに従って前記印刷装置は前記状態に移行しないことを特徴とするプログラム。
【請求項１７】
コンピュータにより読み取り可能な、記録剤を使って印刷をする印刷装置を制御するプログラムであって、
複数の外部装置それぞれからコマンドと当該コマンドに対応付けられた識別情報とを受信する受信ステップと、
前記受信ステップで受信する識別情報を記憶手段に記憶させる記憶ステップと、
前記受信ステップで受信するコマンドに従って、記録剤を前記印刷装置に供給可能な状態に前記印刷装置を移行させる移行ステップと、
前記移行ステップによって前記印刷装置が前記状態に移行している間、前記記憶手段で記憶する識別情報に対応付けられた印刷ジョブに基づく印刷を実行する実行ステップとを前記コンピュータに実行させ、
前記記憶手段で記憶する識別情報に対応付けられた印刷ジョブ以外の印刷ジョブに基づいては印刷を実行しないことを特徴とするプログラム。
【手続補正２】
【補正対象書類名】明細書
【補正対象項目名】０００９
【補正方法】変更
【補正の内容】
【０００９】
本発明に係わる印刷装置は、記録剤を使って印刷をする印刷装置であって、ユーザから指示を受け付ける受付手段と、外部装置からコマンドを受信する受信手段と、前記受付手段で受け付ける指示に従って、記録剤を前記印刷装置に供給可能な状態に前記印刷装置を移行させる第１の移行手段と、前記受信手段で受信するコマンドに従って、記録剤を前記印刷装置に供給可能な状態に前記印刷装置を移行させる第２の移行手段とを有し、前記第１の移行手段及び前記第２の移行手段の一方によって前記印刷装置が前記状態に移行している場合には、前記第１の移行手段及び前記第２の移行手段の他方によって前記印刷装置は前記状態に移行しないことを特徴とする。
【手続補正３】
【補正対象書類名】明細書
【補正対象項目名】００１０
【補正方法】変更
【補正の内容】
【００１０】
また、本発明に係わる印刷装置は、記録剤を使って印刷をする印刷装置であって、複数の外部装置それぞれからコマンドを受信する受信手段と、前記受信手段で受信するコマンドに従って、記録剤を前記印刷装置に供給可能な状態に前記印刷装置を移行させる移行手段とを有し、前記移行手段は、第１の外部装置からのコマンドに従って前記印刷装置を前記状態に移行させている場合には、第２の外部装置からのコマンドに従って前記印刷装置を前記状態に移行させないことを特徴とする。
【手続補正４】
【補正対象書類名】明細書
【補正対象項目名】００１１
【補正方法】変更
【補正の内容】
【００１１】
また、本発明に係わる印刷装置は、記録剤を使って印刷をする印刷装置であって、複数の外部装置それぞれからコマンドと当該コマンドに対応付けられた識別情報とを受信する受信手段と、前記受信手段で受信する識別情報を記憶する記憶手段と、前記受信手段で受信するコマンドに従って、記録剤を前記印刷装置に供給可能な状態に前記印刷装置を移行させる移行手段と、前記移行手段によって前記印刷装置が前記状態に移行している間、前記記憶手段で記憶する識別情報に対応付けられた印刷ジョブに基づく印刷を実行する制御手段とを有し、前記制御手段は、前記記憶手段で記憶する識別情報に対応付けられた印刷ジョブ以外の印刷ジョブに基づいては印刷を実行しないことを特徴とする。